(57)【特許請求の範囲】
【請求項１】
折り見本の搬送をベルト群によって行い、ベルト群によって前記折り見本を見本送り胴の表面から受け取り、前記折り見本を、縦折り目を形成するための縦折り装置に供給する、折り機における折り見本の搬送および減速装置において、
前記折り見本の搬送のために少なくとも２つのベルト群（８，９，１０；１４，１７，１８；２１，１０；２２，１８）を備えており、縦折り装置（１３，２０）の前に配置された前記ベルト群（８，９；１４，１７；２１，２２）の１つが、独立した駆動装置（１２，１９）によって、折り装置用駆動装置から独立して駆動されるようになっており、ベルト群が、折り見本案内胴（１）から折り見本を受け取った後に、１００％の初速から始まり、初速の７０％へ線形的に減速され、第２の縦折り装置（１３，２０）へ折り見本が渡された後、前記ベルト群は再び初速の１００％に加速されることを特徴とする、折り見本の搬送および減速装置。
【請求項２】
前記ベルト群（８，９，１０；１４，１７，１８；２１，１０；２２，１８）が、それぞれ上側ベルトとこれに対応する下側ベルトとを含んでいる請求項１記載の折り見本の搬送および減速装置。
【請求項３】
前記折り見本が、印刷物案内部材（２）によって印刷物送り胴（１）の前記表面（７）から前記ベルト群（８，１４；２１，２２）へ案内される請求項１または２に記載の折り見本の搬送および減速装置。
【請求項４】
前記印刷物案内部材（２）が、前記印刷物送り胴（１）の前記表面（７）の溝内へ延びている請求項３記載の折り見本の搬送および減速装置。
【請求項５】
前記ベルト群（８，９，１０；１４，１７，１８；２１，１０；２２，１８）が、それぞれ並んで配置された複数の上側ベルト（８．１，９．１，１０．１，１４．１，１７．１，１８．１，２１．１，２２．１）および下側ベルト（８．２，９．２，１０．２，１４．２，１７．２，１８．２，２１，２，２２．２）を含んでいる請求項１記載の折り見本の搬送および減速装置。
【請求項６】
前記独立した駆動装置（１２，１９）が、前記縦折り装置（１３，２０）の前に配置されたベルト群（９，１７，２１，２２）の前記上側ベルト（９．１，１７．１，２１．１，２２．１）を駆動する請求項１記載の折り見本の搬送および減速装置。
【請求項７】
前記各々の駆動されるベルト（９．１，１７．１，２１．１，２２．１）に向かい合っているベルト（９．２，１７．２，２１．２，２２．２）が、同様に前記駆動装置（１２，１９）を介して駆動される請求項６記載の折り見本の搬送および減速装置。
【請求項８】
前記縦折り装置（１３，２０）の前に配置されたベルト群（９，１７，２１，２２）が、搬送される折り見本を、前記ベルト群（８，１４；２１，２２）に向かう進入速度の７０％まで減速する請求項１記載の折り見本の搬送および減速装置。
【請求項９】
前記見本送り胴（１）の前記表面（７）に、当接可能な案内部材（５，６）が備えられている請求項１記載の折り見本の搬送および減速装置。
【請求項１０】
ベルト群（８，１４；２１，２２）によって見本送り胴（１）の表面（７）から折り見本を受け取る工程と、
独立した駆動装置（１９，２０）によって折り装置用駆動装置から独立して駆動される、縦折り装置（１３，２０）の前に配置されたベルト群（９，１７；２１，２２）を１００％の初速から初速の７０％へ線形的に減速することにより折り見本を減速する工程と、
搬送された折り見本を、前記各々の縦折り装置（１３，２０）の整列用ストッパに揃える工程と、
独立した駆動装置（１９，２０）によって、前記ベルト群（９，１７；２１，２２）を再び初速の１００％まで加速する工程とを含む折り見本の搬送および減速方法。
【発明の詳細な説明】
【０００１】
【発明の属する技術分野】
本発明は、見本減速装置に関し、この見本が、例えば、排紙された後に後続の処理ラインでうろこ状に重なって流れる状態でさらに処理される１層または多層の印刷工場製品であることが可能な見本減速装置に関する。
【０００２】
【従来の技術】
欧州特許公開公報第００５５４０５号では、折りたたまれた印刷物を搬送し、減速するためのベルトラインが開示されている。この場合、縦折り装置と排紙部との間における、相前後して置かれた２つの折り機部の間で、折りたたまれた印刷物を搬送し減速するためのベルトラインには、段階的な速度で駆動される連続した２つの部分が備えられている。この２つの部分は、それぞれ平行な複数のベルトと、それぞれ、搬送方向にみて前方にある少なくとも１つのベルトローラ、および、搬送方向にみて後方にある少なくとも１つのベルトローラとを有している上側および下側のベルトユニットから構成されている。これらのベルトユニットについては、搬送方向にみて後方の高速で走行する部分における、搬送方向にみて前方にあるベルトローラの少なくとも１つが、高さ調節が可能な状態で収容されている。この手法によると、ベルトラインのそれぞれ連続する部分が、横へ少なくともその部分の幅だけ互いに移動するベルトを備えていることにより、そしてまた、互いに向き合った端部領域が櫛歯状に互いに入り込んだ状態でスライドさせられることにより、枚葉紙案内部材は不要となる。
【０００３】
国際出願公開公報第９４／２５３８３号は、折り機における、折りたたまれた折り丁を正しい位置で受け取るための方法および装置に関する。この受け取りは、くわえづめシリンダ上のベルト送りシステムによって行われる。ベルト送りシステムから離れる、予め定められた折り丁の位置は、折り丁の表面状態とは無関係に、連続して送られる状態で固定され把握される。同時に、予め定められた折り丁を受け取るために備えられたくわえづめ装置の瞬間的な実角度位置が固定され把握され、この場合、目標角度位置からずれる際に、電気的差異信号が形成され、そして、続いてくわえづめシリンダが駆動手段によりその目標角度位置に移動される。そのための装置も提案されている。
【０００４】
ドイツ特許公開公報第４２４３２２２号は、折りたたまれた印刷物を減速するための、そしてまた搬送するための装置に関する。折りたたまれた印刷物を確実に減速するために、それぞれ上側および下側ベルトを含む２つのベルト群は、例えば第２の縦折り目内へ進入する前に、１つの上側ベルトを含む１つのベルト群で補われる。この場合、印刷物厚さよりも大きい間隔を有するこの上側ベルトが、第１のベルト群の下側ベルトに対して平行に送られる。
【０００５】
フランス特許第２３４４４８８号は、折りべらの下で見本が搬送されることが可能な、見本の搬送装置に関する。この場合、ベルト対によってこの折りべらの下へ送られた枚葉紙束を折りたたむためのナイフ型折り機は、次のような速度で平行に走行するようになっている。すなわち、ローラ式輪転印刷機の折り装置内に暫定的に配置された折りたたみ機構および横折り機構に比べて半分にまで減じられた速度で、枚葉紙束の送り方向に対して平行に走行する。
【０００６】
このナイフ型折り機には、暫定的に配置された折りたたみ機構および横折り機構よりも低速で走行する固有のベルトシステムが取り付けられている。さらに、このナイフ型折り機に取り付けられたこのベルトシステムの上側のベルトの２つのローラは、下側のベルトに相対して取り込み用くさび状スリットを形成している。これらのローラは、枚葉紙束が搬送方向に沿って最大に延びている限り、少なくとも取り込み用くさび状スリットが高さ方向に調節可能となっている。
【０００７】
【発明が解決しようとする課題】
折り機において第２の縦折り装置へ折り見本を送る場合、折り見本は、第２の縦折り装置の折りべらがこの折り見本を正確に中心で９０度よりも小さい角度で折って、ストッパに揃えられなければならない。適切な製品速度の場合に見本を正確に揃えるためには折り見本の搬送速度を減速させる必要があり、この減速によって、ストッパへの折り見本の前縁の当接が軽減される。さらに、第２の縦折り機の通過の後に製品の品質を大きく損なうような相対スライド移動が、折り見本を案内するベルト上で生じ得ないように、この折り見本を案内する必要がある。
【０００８】
上述のような従来技術に鑑み、本発明の目的は、折り見本を案内するベルト群の１つが折り機から独立して駆動可能にするような、折り見本の両側の案内について保証することにある。
【０００９】
【課題を解決するための手段】
本発明によると、この目的は、折り見本の搬送をベルト群によって行い、ベルト群によって前記折り見本を見本送り胴の表面から受け取る、折り機における折り見本の搬送および減速装置において、折り見本の搬送のために少なくとも２つのベルト群を備えており、第２の縦折り装置の前に配置されたベルト群の１つが、独立した駆動装置によって駆動されるようになっていることによって達成される。
【００１０】
他の折り装置用駆動装置から独立した駆動装置を用いた、折り見本を案内するベルト群の１つの駆動は、折りべらの下方の折りたたみ台上へ搬送される折り見本にそのつど必要な減速を施すことに対し、直接に影響を与え得るようになっている。これにより、折り見本の減速は、折り見本の重さと厚さにそれぞれ応じて行われる。大トルクの電動モータを用いた独立した駆動装置により、例えば短い減速工程および加速工程が可能になり、この結果、このモータのサイクルは、第２の縦折りを非常に正確に準備および実行するために必要となる条件に、理想的な状態で適合させることができる。
【００１１】
本発明の基礎となっている思想の他の実施態様では、これらのベルト群は、それぞれ上側ベルトと、これに対応する下側ベルトとを含んでおり、これにより、見本の整列が行われた後に、搬送経路に対して大きな相対運動を生じさせないようにすることができる。見本送り胴の表面から折り見本が移動することは、固定された状態で見本送り胴の外套面上の溝内に係合する印刷物案内部材により支援される。折り見本を案内するために、このベルト群は、個々の折り見本の相対運動を互いに回避するために、それぞれ、並べて配置された多数の上側ベルトおよび下側ベルトを含んでいる。第２の縦折り装置の前に配置されたベルト群を駆動するこの独立した駆動装置は、このベルト群の上側ベルトを、もしくはこのベルト群の下側ベルトを駆動することができる。それぞれこれらの上方に、もしくは下方に配置され並べられたベルトの列は、同じく、独立した駆動装置によって駆動される。
【００１２】
第２の縦折り装置の前に配置されたベルト群における折り見本の搬送速度は、好ましくは大トルクの電動モータとして形成された独立した駆動装置により、進入速度の約７０％まで減速される。折り見本のこのような減速により、整列用部材のストッパで前縁部が損傷することを防止できる。
【００１３】
折り見本を搬送するための、そしてまた、減速するための本方法は、以下の工程、すなわち、
ベルト群によって見本送り胴の表面から折り見本を受け取る工程と、
第２の縦折り装置の前に配置されたベルト群上で折り見本を減速する工程と、
搬送された折り見本を、各々の第２の縦折装置の整列用ストッパに揃える工程と、
独立した駆動装置によって、ベルト群を初速まで加速する工程とを含んでいる。
【００１４】
【発明の実施の形態】
以下、本発明の実施の形態について図面を参照して詳細に説明する。
【００１５】
図１では、２つの第２の縦折り装置１３、２０に相対するそれぞれ上側および下側の搬送経路を有する、見本案内胴１の側面図が示されている。見本案内胴１は、第２の縦折り装置１３、２０の上側もしくは下側の搬送経路上を送られてくる横折りされた折り見本を、その外套面７上で搬送する。図１で示された上側の搬送経路は、相互に分離された３つの上側ベルト群８、９、１０を含んでいる。第１の上側ベルト群８は、上側ベルト８．１および下側ベルト８．２を含んでおり、この上側ベルト８．１および下側ベルト８．２により、見本案内胴１の外周７上にある横に折られた折り見本が受け取られる。上側および下側ベルト８．１、８．２は、ガイドローラ１１上を回転する。見本案内胴１の外周７による折り見本の受け取りは、見本案内胴１の外周面７の溝内に係合し折り見本の前縁を上側ベルト８．１と下側ベルト８．２との間のスリット内へ導入する印刷物案内部材２によって支援される。この印刷物案内部材２は、固定的に配置されており、そしてまた、この印刷物案内部材２をスナップ式ロック部材４で固定し得る単純な止め具３に保持されている。見本案内胴１の外周面７には、揺動レバー６を介して外周面７に寄りかかることが可能であるとともにこの周囲表面７から再び離反することが可能な、当接可能な案内部材５が配置されている。これは、なによりもまず、それぞれ見本送り胴１の外周にある見本の強度に左右される。
【００１６】
上側の搬送経路における第１の上側ベルト群８の後には、他の上側ベルト群９が備えられている。この上側ベルト群９は、すでに説明した上側ベルト群８とは異なる専用の駆動装置１２を備えている。この駆動装置１２については、上側ベルト９．１および下側ベルト９．２を大きく加速もしくは減速するような大トルクの電動モータであることが好ましい。駆動装置１２は、図１では上側ベルト９．１のみに取り付けられたように図示しているが、この上側ベルト９．１に対応する第２の上側ベルト群９の下側ベルト９．２にも作用する。
【００１７】
大トルクの電動モータ１２の形態である独立した駆動装置１２により、ここで概略的にのみ示す第２の縦折り装置１３の前方に配置された第２の上側のベルト群９は、折り装置用駆動装置から独立して駆動される。上側ベルト群８、９、１０から構成される搬送経路には、見本案内胴１によって連続的に供給される折り見本の流れにおける各々の第２の折り見本のみが到達するので、上側の搬送経路内では２つの互いに連続する２つの折り見本の間に、折り見本の減速のために、および、折り見本のより正確な整列を可能にするために利用可能な隙間が生じる。このことは、下側ベルト群１４、１７、１８から構成される下側の搬送経路でも同様である。第２の上側ベルト群９で行われる減速は、折り見本の当初の搬送速度の約７０％となるまで行われる。このようにして減速された折り見本により、第２の縦折り装置１３の内側でのストッパに対する整列が、折り見本の品質を損傷することなく簡単に行える。
【００１８】
上側の第２の縦折り装置１３（いずれにしてもここでは折りべらにより概略的にのみ示されている）は、ここに示した上側ベルト群１０の代わりに、縦に折られた見本をつかむ折りたたみローラが下方に配置された折りたたみ台を備えている。この折りたたみローラは、第２の縦折り目の形成を支援するとともに、例えば、この後に続いて排紙装置へ折り見本を送り出す羽根車内で折り見本を搬送する。
【００１９】
第２の上側のベルト群９によって減速された折り見本は、第３の上側ベルト群１０を搬送する折りたたみ台上で、この場所に備えられたストッパに揃えられる。この後、上側の第２の縦折り装置１３の折りべらは、すでに横に折られた折り見本に、精度よく揃えられていた通常の折り見本よりも、より一層正確にするための第２の縦折り目を形成する。
【００２０】
第２の上側ベルト群９の駆動装置１２は、第２の縦折り装置１３に送られる各々の折り見本が上側ベルト９．１または下側ベルト９．２を離れるとすぐに、再び初速まで加速される（２つのサイクルが示された図５のグラフを参照のこと）。
【００２１】
第２の折り見本は全て見本送り胴１から上側の搬送経路へ搬送される。一方、見本送り胴１の外周面７上にとどまる見本は、揺動可能な印刷案内部材５を通過し、下側の固定的な印刷物案内部材２をとおって下側の搬送経路へ導かれる。
固定的な印刷物案内部材２は、同じく、スナップ式ロック部材４を備えているとともに、止め具３に固定されている。下側の搬送経路の下側ベルト群１４は、折り見本をさらに第２の下側ベルト群１７へ転送するガイドローラ１１周りに案内される上側ベルト１４．１および下側ベルト１４．２を含んでいる。この第２の下側ベルト群１４は、上側の搬送経路の第２のベルト群９と同様に、他の折り装置駆動装置から独立した、第２の下側ベルト群１７の運転が可能な駆動装置１９を備えている。
【００２２】
見本案内胴１によって受け取られる横に折られた折り見本が方向転換された後に、これらの折り見本は、ガイドローラ１６での方向転換により、第１の下側のベルト群１４から第２の下側のベルト群１７へ転送される。上側の搬送経路と同様に、第２の下側のベルト群１７は、折り装置駆動装置から独立した駆動装置１９を備えている。この駆動装置１９により、上側ベルト１７．１および下側ベルト１７．２は、上述したような隙間を利用しながら、折り装置駆動装置から独立して、折り見本の間において加速および減速するよう駆動され得る。第２の下側のベルト群１７もまた、ここでは折りべらによって概略的に示されている第２の縦折り装置２０の前に置かれている。第３の下側のベルト群１８は、ここでは、ガイドローラ１１の周りを回転する上側ベルト１８．１および下側ベルト１８．２を含んでいる。この場合、折り見本が第２の下側のベルト群１７によってその初速値の約７０％まで減速された後で、これらの折り見本が上方を搬送されるように折りたたみ台を配置することが全く同じように必要である（図５参照）。これらの折り見本が第２の下側のベルト群１７の上側または下側のベルト１７．１、１７．２から離れた後、これらの折り見本は、駆動装置１９によって再び初速まで加速され、そして、後続の折り見本は隣の減速サイクルで減速される。
【００２３】
図２は、図１の上側の搬送経路の平面図を示している。
【００２４】
ここでは概略的にのみ示す、折り装置の側壁２４には、各々のガイドローラ１１が第１の上側のベルト群８における上側ベルト８．１のために置かれている枠状の部材２３を備えている。第１の上側のベルト群８は、見本案内胴１の上方に設けられている。第１の上側のベルト群８は、第２の上側のベルト群９に接続されており、この第２の上側のベルト群９の場合、上側ベルト９．１は同じく互いに離れた状態でガイドローラ１１上で回転する。
【００２５】
図２では、第３の上側のベルト群１０が示されているが、この第３の上側のベルト群１０もまた、到着した折り見本を揃えるためのストッパが備えられた折りたたみ台によって置き換えることができる。この平面図で第１、第２、第３の上側ベルト８．１、９．１、１０．１の下側には、ここではこれらの上側ベルトに覆われることにより見えないが、これらの上側ベルトに対応する下側ベルト８．２、９．２、１０．２が存在している。図２でさらにわかるように、駆動装置１２は、第２の上側のベルト群９の側部にある。
【００２６】
図３は、第２の縦折り装置に向かう、見本送り胴に取り付けられた搬送経路の配置の変形例を示している。
【００２７】
この実施形態では、第１のベルト群８、９は、変形例である単一のベルト群２１に、第２のベルト群１４、１７は、変形例である単一のベルト群２２にそれぞれまとめられている。変形例であるこのベルト群２１、２２は、それぞれ、上側または下側ベルト２１．１、２２．１、２１．２、２２．２を含んでおり、そしてまた、独立した駆動装置１２、１９により駆動可能になっている。上側または下側ベルト２１．１、２２．１、２１．２、２２．２は、ガイドローラ１１上を回転し、この場合、第２の縦折り装置１３、２０内へ入る前に出口速度の約７０％まで折り見本を減速するために、変形例であるこれらのベルト群２１、２２が各々の第２の縦折り装置１３、２０の前に配置されている。
【００２８】
変形例であるこのベルト群２１、２２は、見本送り胴１の周囲における折り見本を１００％の速度では受け取らず、同時的にこの折り見本を、７０％の速度まで減速する構成であってもよい。
【００２９】
図３の実施形態では、上側および下側の搬送経路の間には、揺動可能な印刷物案内部材５が存在しており、この印刷物案内部材５の上方および下方には、それぞれ固定的な印刷物案内部材２が存在しており、この場合、この印刷物案内部材２の支援により、横に折られた折り見本が上側または下側の搬送経路に送られる。それぞれの上側または下側ベルト２１．１、２２．１、２１．２、２２．２は、ガイドローラ１１上を回転し、それぞれ独立した駆動装置１２，１９により駆動され得る。それぞれ独立した駆動装置１２、１９は、見本の正しい整列が不可能になる上側および下側ベルト間の相対速度を回避するように、図３に示す２つの変形されたベルト群２１、２２の上側および下側ベルトに作用する。この実施形態では、これらの独立した駆動装置１２、１９が、折り見本が（ストッパに揃えられて）各々の第２の縦折り装置１３、２０によって縦に折られる前に、第２の縦折り装置１３、２０に送られる折り見本を初速の約７０％まで減速するような、大トルクの電動式駆動装置であることが好ましい。
【００３０】
図３で示された構成でも、上方で、減速され整列された折り見本が縦に折られ、続いてさらに処理される折りたたみ台によって、第２の縦折り装置１３、２０の下方のベルト群１０、１８を置き換えることができる。
【００３１】
図４は、図３の変形された実施形態について平面図を示している。ここでもまた、枠２３内に収納された、上側のベルト群１０、２１の上側ベルト２１．１、１０．１が、折り見本を均等に支持するために互いに離れた状態となっていることがわかる。
【００３２】
図５は、ベルト群９、１７、２１、２２の独立した駆動装置１２、１９によって得られる加速および減速のグラフを示している。各々の上側もしくは下側ベルトは、１００％の初速から始まり、初速の７０％へ線形的に減速される。第２の縦折り装置１３、２０へ折り見本が渡された後、この上側もしくは下側ベルトは再び初速の１００％に加速される。図５のグラフでは、第２の縦折り装置１３、２０の前にそれぞれ配置されたベルト群９、１７、２１、２２のための、２つの完全な速度変化サイクルが示されている。
【図面の簡単な説明】
【図１】  それぞれ３つのベルト群を有する第２の縦折り装置へ向かう上側および下側の搬送経路を備えた見本送り胴の側面図である。
【図２】図１に示す構成の平面図である。
【図３】第２の縦折り装置に向かうそれぞれ２つのベルト群から構成された搬送経路を備えた見本送り胴の側面図である。
【図４】図３に示す構成の平面図である。
【図５】第２の縦折り装置の前に配置されたベルト群の減速および加速を示すグラフである。
【符号の説明】
１            見本送り胴
２            印刷物案内部材
３            止め具
４            スナップ式ロック部材
５            当接可能な案内部材
６            揺動レバー
７            外周面
８            第１の上側ベルト群
８．１        上側ベルト
８．２        下側ベルト
９            第２の上側ベルト群
９．１        上側ベルト
９．２        下側ベルト
１０          第３の上側ベルト群
１０．１      上側ベルト
１０．２      下側ベルト
１１          ガイドローラ
１２          駆動装置
１３          上側の第２の縦折り装置
１４          第１の下側ベルト群
１４．１      上側ベルト
１４．２      下側ベルト
１５          ガイド装置
１６          ガイドローラ
１７          第２の下側ベルト群
１７．１      上側ベルト
１７．２      下側ベルト
１８          第３の下側ベルト群
１８．１      上側ベルト
１８．２      下側ベルト
１９          駆動装置
２０          下側の第２の縦折り装置
２１          第１の上側ベルト群
２１．１      上側ベルト
２１．２      下側ベルト
２２          第１の下側ベルト群
２２．１      上側ベルト
２２．２      下側ベルト
２３          枠
２４          折り機の側壁
【図１】
0004819207.tif 000002
【図２】
0004819207.tif 000003
【図３】
0004819207.tif 000004
【図４】
0004819207.tif 000005
【図５】
0004819207.tif 000006